(57)【要約】      （修正有）【課題】用紙束の乱れやしわを発生させずに、用紙束を排出することのできる用紙束の排出機構を提供する。【解決手段】ステープル枚数により、ペーパガイド８を開閉させることにより、従動ローラ部に設けられたバネにて、用紙押付力を適切に変化させることにより、ステープル用紙束の針付近にダメージを発生させずに用紙束を排出させる。【選択図】図１
2010132430.tif 000002
【特許請求の範囲】
【請求項１】
ステープル枚数に応じてペーパガイドを開閉させることにより、従動ローラ部に設けられたバネで用紙押付力を変化させることを特徴とするステープル用紙束の排出機構。
【請求項２】
請求項１に記載のステープル用紙束の排出機構において、前記用紙束のステープルの針位置から１０ｍｍ〜２０ｍｍ手前で従動ローラの用紙押付力を６００ｇ以下に制御することを特徴とするステープル用紙束の排出機構。
【請求項３】
請求項１に記載のステープル用紙束の排出機構において、前記用紙束の枚数が１１枚以上の場合は用紙束先端が従動ローラ部に到達する前に従動ローラが設けられたペーパガイドを開き、用紙束先端が３０ｍｍ通過した時点でペーパガイドを閉じて用紙搬送力を付加させることを特徴とするステープル用紙束の排出機構。
【請求項４】
請求項１に記載のステープル用紙束の排出機構において、前記用紙の連量が２０ｌｂ未満の場合、ステープル用紙束の先端が従動ローラと駆動ローラのニップ部に到達する前のペーパガイド開き角度は１１枚〜５０枚までの角度をＡとし、５１枚〜１００枚までの角度をＢとしたとき、前記開き角度ＡとＢの関係はＡ＜Ｂとなることを特徴とするステープル用紙束の排出機構。
【発明の詳細な説明】
【技術分野】
【０００１】
本発明は、複写機、プリンターなどの画像形成装置より排出される記録紙にステープルなどの後処理を行なう画像形成後処理装置に関するものである。
【背景技術】
【０００２】
各種の画像形成装置において、一般に、画像形成された用紙は排出ローラ、排出ベルト等の回転部材によって挟まれつつ搬送されて排出され、その下流側に設けられた排紙トレイ上に積み重ねられる。
【０００３】
近年、画像形成装置の各部の動作速度の上昇に伴って排紙速度も上昇している。従来の排紙装置は、１枚ずつの用紙を排出するシート排出に適したものである。
【０００４】
【特許文献１】特開２００５−３５６９７号公報
【発明の開示】
【発明が解決しようとする課題】
【０００５】
用紙束排出の場合に前述の方法を適用すると、排出途中で排出ローラの回転速度を変化させこととなるので、用紙束中のローラに接している最上部と最下部の各１枚ずつの用紙に負担がかかる。そのため、用紙束の乱れやしわの発生の原因となるという問題点があった。
【０００６】
本発明は、上記の問題点に鑑み、用紙束の乱れやしわを発生させずに用紙束を排出することのできる用紙束の排出機構を提供することを目的とする。
【課題を解決するための手段】
【０００７】
上記目的を達成するために、本発明の第１の手段は、ステープル枚数に応じてペーパガイドを開閉させることにより、従動ローラ部に設けられたバネで用紙押付力を変化させることを特徴とするものである。
【０００８】
本発明の第２の手段は前記第１の手段において、前記用紙束のステープルの針位置から１０ｍｍ〜２０ｍｍ手前で従動ローラの用紙押付力を６００ｇ以下に制御することを特徴とするものである。
【０００９】
本発明の第３の手段は前記第１の手段において、前記用紙束の枚数が１１枚以上の場合は用紙束先端が従動ローラ部に到達する前に従動ローラが設けられたペーパガイドを開き、用紙束先端が３０ｍｍ通過した時点でペーパガイドを閉じて用紙搬送力を付加させることを特徴とするものである。
【００１０】
本発明の第４の手段は前記第１の手段において、前記用紙の連量が２０ｌｂ未満の場合、ステープル用紙束の先端が従動ローラと駆動ローラのニップ部に到達する前のペーパガイド開き角度は１１枚〜５０枚までの角度をＡとし、５１枚〜１００枚までの角度をＢとしたとき、前記開き角度ＡとＢの関係はＡ＜Ｂとなることを特徴とするものである。
【発明の効果】
【００１１】
前記第１の手段によれば、ステープル枚数によりペーパガイドを開閉させることにより、従動ローラ部に設けられたバネにて用紙押付力を適切に変化させることができ、ステープル用紙束の針付近にダメージを発生させずに用紙束を排出させることができる。
【００１２】
前記第２の手段によれば、用紙束のステープルの針位置から１０ｍｍ〜２０ｍｍ手前で従動ローラの用紙押付力を６００ｇ以下に制御することにより、ステープル用紙束の針付近にダメージを発生させずに用紙束を排出させることができる。
【００１３】
前記第３の手段によれば、用紙束の枚数が１１枚以上の場合には用紙束先端が従動ローラ部に到達する前に従動ローラが設けられたペーパガイドを開き、用紙束先端が２０ｍｍ〜４０ｍｍ通過した時点でペーパガイドを閉じて用紙搬送力を付加させることにより、用紙束先端にダメージを発生させずに用紙束を排出させることができる。
【００１４】
前記第４の手段によれば、用紙の連量が２０ｌｂ未満のステープル用紙束の先端が従動ローラ１０と駆動ローラ１２のニップ部に到達する前のペーパガイド８開き角度は１１枚〜５０枚までの角度をＡとし、５１枚〜１００枚までの角度をＢとしたとき開き角度ＡとＢの関係をＡ＜Ｂとすることにより、用紙の連量が２０ｌｂ未満のステープル用紙束及び用紙の連量が１３５ｋｇ以上で用紙長が短い場合、例えば７インチ用紙などでも確実に排出させることができる。
【発明を実施するための最良の形態】
【００１５】
本発明を後処理機の排紙装置に適用した実施例を図とともに説明する。図１は本発明の実施例に係る排紙搬送部の斜視図、図２はその排紙搬送部の側面図、図３はその排紙搬送部における従動ローラ付近の拡大斜視図である。
【００１６】
図中の１はモータ、２はギア、３は回転体、４はフォトセンサ、５，６，９はリンク、７，１１はバネ、８はペーパガイド、１０は従動ローラ、１２は駆動ローラ、Ａ，Ｂは開き角度である。
【００１７】
本体フレームに固定されたモータ１の軸に取り付けられたギア２が回転することにより回転体３を駆動させる。回転体３には回転角度を検出するためアクチュエータが取り付けられており、そのアクチュエータをフォトセンサ４が検出することにより、回転体３のホームポジションを検出し、そこから設定位置まで回転させることにより、リンク５及びリンク６、バネ７を介して、ペーパガイド８を開閉させる。
【００１８】
そのペーパガイド８にはリンク９に取り付けられた従動ローラ１０が設けられており、そのリンク９とペーパガイド８の間にはバネ１１を設けている。従動ローラ１０の直下には駆動ローラ１２が本体フレームにベアリングを介して固定されている。
【００１９】
通常、用紙が１枚の場合、ペーパガイド８は閉じた状態で排紙を行う。２枚〜１０枚のステープル用紙束を排出する場合は、ステープル用紙束の針部が従動ローラ１０と駆動ローラ１２のニップ部手前１０ｍｍ〜２０ｍｍまではペーパガイド８を閉じた状態で、その後ペーパガイド８を開き、従動ローラ１０がステープル用紙束に対する押付力を６００ｇ以下に低減する。
【００２０】
一般に薄紙の方がしわが発生し易く、実験によれば連量４５ｋｇの用紙の１０枚用紙束において、従動ローラ１０がステープル用紙束に対する押付力を０〜６００ｇにした場合はしわが発生せず、押付力が６００ｇを超えるとしわが発生した。また、１１枚以上はステープル用紙束の先端が従動ローラ１０と駆動ローラ１２のニップ部に到達する前にペーパガイド８を開き、その後ステープル用紙束の先端が従動ローラ１０と駆動ローラ１２のニップ部を２０ｍｍ〜４０ｍｍ通過後、ペーパガイド８を閉じ再びステープル用紙束の針部が従動ローラ１０と駆動ローラ１２のニップ部手前１０ｍｍ〜２０ｍｍでペーパガイド８を開く。
【００２１】
実験によれば標準紙である連量５５ｋｇの用紙にてペーパガイド８を閉じた状態での排出可否確認を行ったところ、２枚束〜１１枚束までは問題なく排出できたが、１２枚束から排出できない場合が発生した。また、用紙の連量が２０ｌｂ未満のステープル用紙束の先端が従動ローラ１０と駆動ローラ１２のニップ部に到達する前のペーパガイド８の開き角度は１１枚〜５０枚までの角度をＡとし、５１枚〜１００枚までの角度をＢとしたとき開き角度ＡとＢの関係はＡ＜Ｂとなる。実験によれば用紙の連量５５ｋｇ〜１３５ｋｇ、用紙長７インチ〜８．５インチの用紙においてペーパガイド８の開き角度ＡとＢを設けることにより問題なく排出できた。ただし、最大の厚みは１１ｍｍとする。
【００２２】
以上のようなペーパガイド８の開閉制御を行うことにより、ステープル用紙束の針付近にダメージを発生させずに用紙束を排出させることができる。
【図面の簡単な説明】
【００２３】
【図１】本発明の実施例に係る排紙搬送部の斜視図である。
【図２】その排紙搬送部の側面図である。
【図３】その排紙搬送部における従動ローラ付近の拡大斜視図である。
【符号の説明】
【００２４】
１はモータ、２はギア、３は回転体、４はフォトセンサ、５，６，９はリンク、７，１１はバネ、８はペーパガイド、１０は従動ローラ、１２は駆動ローラ、Ａ，Ｂは開き角度である。
【図１】
2010132430.tif 000003
【図２】
2010132430.tif 000004
【図３】
2010132430.tif 000005